(57)【特許請求の範囲】
【請求項１】
線状のフィラメント部と、前記フィラメント部の第１の端部側に当該フィラメント部と略直交して当該フィラメント部とともにＴ字形状をなす横棒部と、前記フィラメント部の第２の端部側に配置される頭部と、を有する係止具であって、
前記フィラメント部は、前記頭部と異なる物性を有する材料により形成され、
前記フィラメント部の前記第２の端部は、前記頭部の内部に配置されるとともに、当該頭部の内面に密着して連結されており、
前記第２の端部は、前記頭部に囲まれる範囲に貫通孔または非貫通の凹部を有し、
前記頭部は、前記貫通孔または前記凹部に入り込むアンカー部を有することを特徴とする係止具。
【請求項２】
線状のフィラメント部と、前記フィラメント部の第１の端部側に当該フィラメント部と略直交して当該フィラメント部とともにＴ字形状をなす横棒部と、前記フィラメント部の第２の端部側に配置される頭部と、を有する係止具であって、
前記フィラメント部は、前記頭部と異なる物性を有する材料により形成され、
前記フィラメント部の前記第２の端部は、前記頭部の内部に配置されるとともに、当該頭部の内面に密着して連結されており、
前記第２の端部は、前記頭部に囲まれる範囲に、大幅部と、小幅部と、を有し、
前記小幅部は、前記大幅部よりも前記第１の端部側に位置し、
前記フィラメント部の長軸方向と直交するいずれかの方向における最大幅は、前記小幅部よりも前記大幅部において大きく、前記小幅部から前記大幅部へ向かって徐々に増加することを特徴とする係止具。
【請求項３】
線状のフィラメント部と、前記フィラメント部の第１の端部側に当該フィラメント部と略直交して当該フィラメント部とともにＴ字形状をなす横棒部と、前記フィラメント部の第２の端部側に配置される頭部と、を有する係止具であって、
前記フィラメント部は、前記頭部と異なる物性を有する材料により形成され、
前記フィラメント部の前記第２の端部は、前記頭部の内部に配置されるとともに、当該頭部の内面に密着して連結されており、
前記第２の端部は、前記頭部に囲まれる範囲に、分岐する複数の分岐部を有することを特徴とする係止具。
【請求項４】
線状のフィラメント部と、前記フィラメント部の第１の端部側に当該フィラメント部と略直交して当該フィラメント部とともにＴ字形状をなす横棒部と、前記フィラメント部の第２の端部側に配置される頭部と、を有する係止具であって、
前記フィラメント部は、前記頭部と異なる物性を有する材料により形成され、
前記フィラメント部の前記第２の端部は、前記頭部の内部に配置されるとともに、当該頭部の内面に密着して連結されており、
前記第２の端部は、前記頭部に囲まれる範囲に湾曲部または屈曲部を有することを特徴とする係止具。
【請求項５】
線状のフィラメント部と、前記フィラメント部の第１の端部側に当該フィラメント部と略直交して当該フィラメント部とともにＴ字形状をなす横棒部と、前記フィラメント部の第２の端部側に配置される頭部と、を有する係止具であって、
前記フィラメント部は、前記頭部と異なる物性を有する材料により形成され、
前記フィラメント部の前記第２の端部は、前記頭部の内部に配置されるとともに、当該頭部の内面に密着して連結されており、
前記頭部の材料は、前記フィラメント部の材料よりも柔軟であることを特徴とする係止具。
【請求項６】
請求項１〜５のいずれか１項に記載の前記係止具が切り離し可能に複数連結された係止具集合体。
【発明の詳細な説明】
【技術分野】
【０００１】
本発明は、例えば表示札を対象物に取り付けたり、対象物を束ねるために使用される係止具および係止具集合体に関する。
【背景技術】
【０００２】
従来より、衣料品やその他の商品などの対象物に値段や品質等を表示する表示札を取り付けるために、樹脂製などの柔軟な係止具が使用されている。または、係止具は、複数のタオル、靴下などの衣料品を１つに束ねる際にも使用されている。係止具は、一般的に、対象物を貫通する細長いフィラメント部と、フィラメント部の一端側に設けられる横棒部と、フィラメント部の他端側に設けられる頭部とを備えている。対象物を貫通するフィラメント部の両端に、横棒部と頭部が設けられることで、係止具は、対象物から抜け落ちずに、対象物を係止することができる。
【０００３】
横棒部は、フィラメント部と略直交して当該フィラメント部とともにＴ字形状をなしている。このため、横棒部がフィラメント部と略平行になるように係止具を変形させることで、略直線状となった横棒部とフィラメント部を、対象物に貫通させることができる。そして、頭部が対象物の一端側に位置し、横棒部が対象物を貫通して他端側へ到達した状態で、横棒部とフィラメントをＴ字形状に復元されることで、係止具は、対象物を係止した状態となる。なお、横棒部とフィラメント部を、対象物とともに表示札に貫通させることで、係止具によって、表示札を対象物に取り付けることができる。なお、横棒部とフィラメント部を対象物に貫通させる際には、略直線状となった横棒部とフィラメント部を収容できる中空針を備えたタグガンと呼ばれているガン型の取付装置が使用される。
【０００４】
フィラメント部は、通常、引っ張りに対して強く、人力で引きちぎることは困難である。また、引きちぎろうとすると、対象物に過剰な力がかかり、対象物が損傷する可能性がある。また、係止具は、フィラメント部の略全長が対象物に埋もれるように、対象物に取り付けられる場合がある。この場合、フィラメント部を、鋏やナイフ等の切断器具によって切断しようとすると、対象物も誤って切断する可能性がある。
【０００５】
このため、例えば特許文献１には、フィラメント部と頭部の接合部、またはその近傍に、切断しやすくするための切断部が形成された係止具が開示されている。切断部は、薄肉となっているため、頭部を指で摘まんで捩じったり、曲げたり負荷をかけることで切断可能である。
【先行技術文献】
【特許文献】
【０００６】
【特許文献１】特開２０００−６６６０８号公報
【発明の概要】
【発明が解決しようとする課題】
【０００７】
特許文献１に記載の係止具は、切断部で切断すると、切断部に破断面が形成される。破断面は、バリ等が形成されて、滑らかに形成されない。このため、対象物からフィラメント部を引き抜く際に、切断面によって対象物を傷つけやすい。特に、対象物が繊維製品である場合には、バリ等に繊維が引っ掛かりやすいため、繊維製品が損傷しやすい。
【０００８】
本発明は、上述した課題を解決するためになされたものであり、対象物から手でも容易に分離できるとともに、対象物の損傷を効果的に抑制できる係止具および係止具集合体を提供することを目的とする。
【課題を解決するための手段】
【０００９】
上記目的を達成する本発明に係る係止具は、線状のフィラメント部と、前記フィラメント部の第１の端部側に当該フィラメント部と略直交して当該フィラメント部とともにＴ字形状をなす横棒部と、前記フィラメント部の第２の端部側に配置される頭部と、を有する係止具であって、前記フィラメント部は、前記頭部と異なる物性を有する材料により形成され、前記フィラメント部の前記第２の端部は、前記頭部の内部に配置されるとともに、当該頭部の内面に密着して連結されており、前記第２の端部は、前記頭部に囲まれる範囲に貫通孔または非貫通の凹部を有し、前記頭部は、前記貫通孔または前記凹部に入り込むアンカー部を有することを特徴とする。
【００１０】
上記目的を達成する本発明に係る係止具集合体は、前記係止具が切り離し可能に複数連結された係止具集合体である。
【発明の効果】
【００１１】
上記のように構成した係止具および係止具集合体は、フィラメント部を頭部から引き抜いて離脱可能であるとともに、引き抜くまでは十分な強度でフィラメント部と頭部の連結を維持できる。このため、フィラメント部を頭部から引き抜く前は、対象物を十分な強度で係止でき、必要に応じて強い力を作用させることで、頭部をフィラメント部から容易に分離させることができる。したがって、本係止具は、例えば鋏やナイフ等の切断器具によってフィラメント部を切断する必要がないため、対象物から容易に分離できるとともに、対象物が損傷することを抑制できる。また、頭部から引き抜かれたフィラメント部は、頭部と異なる材料により形成されているため、分離する面は滑らかに形成される。このため、分離したフィラメント部によって対象物が損傷することを抑制できる。
【００１２】
前記第２の端部は、前記頭部に囲まれる範囲に貫通孔または非貫通の凹部を有し、前記頭部は、前記貫通孔または前記凹部に入り込むアンカー部を有してもよい。これにより、係止具は、第２の端部と頭部が強固に連結されるため、十分な強度でフィラメント部と頭部の連結を維持できる。また、必要に応じて力を作用させることで、アンカー部を破壊または変形させて貫通孔または凹部から離脱させて、フィラメント部を頭部から引き抜くことが可能である。
【００１３】
前記第２の端部は、前記頭部に囲まれる範囲に、大幅部と、小幅部と、を有し、前記小幅部は、前記大幅部よりも前記第１の端部側に位置し、前記フィラメント部の長軸方向と直交する断面における最大幅は、前記小幅部よりも前記大幅部において大きく、前記小幅部から前記大幅部へ向かって徐々に増加してもよい。これにより、係止具は、大幅部が頭部の内面に引っ掛かるため、十分な強度でフィラメント部と頭部の連結を維持できる。また、必要に応じて強い力を作用させることで、密着している大幅部および／または頭部を変形させて、フィラメント部を頭部から引き抜くことが可能である。
【００１４】
前記第２の端部は、前記頭部に囲まれる範囲に、分岐する複数の分岐部を有してもよい。これにより、係止具は、複数の分岐部と頭部が強固に連結されるため、十分な強度でフィラメント部と頭部の連結を維持できる。また、必要に応じて強い力を作用させることで、各々の分岐部を頭部から離脱させて、フィラメント部を頭部から引き抜くことが可能である。
【００１５】
前記第２の端部は、前記頭部に囲まれる範囲に湾曲部または屈曲部を有してもよい。これにより、係止具は、第２の端部と頭部が湾曲部または屈曲部で強固に連結されるため、十分な強度でフィラメント部と頭部の連結を維持できる。また、必要に応じて強い力を作用させることで、第２の端部の湾曲部または屈曲部を頭部から離脱させて、フィラメント部を頭部から引き抜くことが可能である。
【００１６】
前記頭部の材料は、前記フィラメント部の材料よりも柔軟であってもよい。これにより、細いフィラメント部の強度の低下を抑制しつつ、フィラメント部を頭部から引き抜くことが容易な構造を実現できる。
【図面の簡単な説明】
【００１７】
【図１】実施形態に係る係止具を示す図であり、（Ａ）は正面図、（Ｂ）は図１（Ａ）の矢線Ａから見た側面図である。
【図２】実施形態に係る係止具を示す図であり、（Ａ）は断面図、（Ｂ）は図２（Ａ）のＢ−Ｂ線に沿う断面図である。
【図３】フィラメント部を頭部から引き抜く際を示す断面図である。
【図４】係止具の変形例を示す図であり、（Ａ）は第１の変形例を示す断面図、（Ｂ）は第２の変形例を示す断面図である。
【図５】係止具の変形例を示す図であり、（Ａ）は第３の変形例を示す断面図、（Ｂ）は第４の変形例を示す断面図である。
【図６】係止具の第５の変形例を示す断面図であり、（Ａ）はフィラメント部を頭部から引き抜く前の状態、（Ｂ）はフィラメント部を頭部から引き抜いた後の状態を示す。
【図７】係止具の変形例を示す図であり、（Ａ）は第６の変形例を示す断面図、（Ｂ）は第７の変形例を示す断面図である。
【図８】係止具の第８の変形例を示す図であり、（Ａ）は正面図、（Ｂ）は図８（Ａ）の矢線Ａから見た側面図である。
【図９】係止具の第９の変形例を示す図であり、（Ａ）は正面図、（Ｂ）は図９（Ａ）の矢線Ａから見た側面図である。
【図１０】係止具の第１０の変形例を示す図であり、（Ａ）は正面図、（Ｂ）は頭部から引き抜かれたフィラメント部および横棒部を示す側面図、（Ｃ）はフィラメント部の側面拡大図、（Ｄ）はタグガンの中空針を示す正面図である。
【図１１】係止具の第１１の変形例を示す正面図であり、（Ａ）はフィラメント部を頭部から引き抜く前の状態、（Ｂ）はフィラメント部を頭部から引き抜いた後の状態を示す。
【図１２】係止具集合体を示す正面図である。
【発明を実施するための形態】
【００１８】
以下、図面を参照して、本発明の実施の形態を説明する。なお、図面の寸法は、説明の都合上、誇張されて実際の寸法とは異なる場合がある。また、本明細書及び図面において、実質的に同一の機能構成を有する構成要素については、同一の符号を付することにより重複説明を省略する。
【００１９】
本発明の実施形態に係る係止具１０は、図１、２に示すように、衣料品、商品等の対象物に値段や品質等を表示する表示札を取り付けたり、対象物をコンパクトに束ねたり、複数の対象物を１つに束ねるたりするために使用される樹脂製などの部材である。係止具１０は、少なくとも２種類以上の異なる樹脂材料を用いて多色成形により形成される。多色成形は、例えばニ色成形であるが、三色以上の成形であってもよい。
【００２０】
係止具１０は、細長いフィラメント部２０と、フィラメント部２０の第１の端部２１側に配置される横棒部３０と、フィラメント部２０の第２の端部２２側に配置される頭部４０とを備えている。フィラメント部２０の第２の端部２２は、第１の端部２１の反対側に位置している。
【００２１】
横棒部３０は、可撓性などを備える線状の部材であり、フィラメント部２０の第１の端部２１が突き当たっている。横棒部３０は、フィラメント部２０と略直交して、当該フィラメント部２０とともにＴ字形状をなしている。なお、横棒部３０は、フィラメント部２０に対して９０度に近い角度で交差するが、厳密に９０度の角度で直交していなくてもよい。横棒部３０は、フィラメント部２０が対象物から抜け落ちることを制限できるのであれば、フィラメント部２０に対して９０度と異なる角度で配置されてもよい。
【００２２】
フィラメント部２０は、可撓性などを備える線状の部材であり、細長く形成されている。フィラメント部２０の第１の端部２１は、横棒部３０の長軸方向の略中央部に突き当たって連結されている。なお、第１の端部２１は、横棒部３０の長軸方向の中央部からずれた位置に突き当たって連結されてもよい。フィラメント部２０の第２の端部２２は、頭部４０に埋設されている。
【００２３】
第２の端部２２は、頭部４０に埋設される範囲に、少なくとも１つの貫通孔２４（アンカー部）を備えている。貫通孔２４は、第２の端部２２と頭部４０の接触面積を増加させて表面の化学的な結合力を向上させるとともに、機械的（構造的）な結合力を向上させる。貫通孔２４の貫通する方向は、特に限定されないが、例えば、フィラメント部２０の長軸方向Ｘと略直交し、かつ平坦な頭部４０の表面に沿う方向Ｙであることが好ましい。貫通孔２４の後述する入口部４２側から離れた側の面は、曲率半径の小さい角で突出するように尖った角部２４Ａが形成されてもよい。なお、貫通孔２４は、角部２４Ａが形成されずに、滑らかに形成されてもよい。
【００２４】
フィラメント部２０および横棒部３０は、同じ材料によって一体的に形成される。フィラメント部２０および横棒部３０は、例えば射出成形により形成されるが、形成する方法は限定されない。
【００２５】
頭部４０は、連結されるフィラメント部２０と異なる材料により形成されている。頭部４０は、方向Ｙへ、横棒部３０の長軸方向の長さに対して同程度の長さであっても、長くても、短くてもよい。なお、頭部４０の大きさ、長さおよび形状は、フィラメント部２０の長軸方向Ｘと直交する断面において、フィラメント部２０の断面形状よりも大きな断面形状を備えれば、特に限定されない。頭部４０は、例えば、略円形で略一定の厚さを有する円盤形状であってもよい。頭部４０は、フィラメント部２０が入り込む入口部４２と、フィラメント部２０の第２の端部２２を覆う内面４１とを備えている。内面４１は、第２の端部２２と隙間なく密着している。このため、頭部４０と第２の端部２２は、高い結合力で結合されている。内面４１には、第２の端部２２の貫通孔２４を貫通する柱部４３が形成されている。柱部４３の一端側は、対向する内面４１の一方面側に一体的に繋がっており、柱部４３の他端側は、対向する内面４１の他方面側に一体的に繋がっている。このため、頭部４０と第２の端部２２は、表面での化学的な結合だけでなく、機械的（構造的）に高い結合力で結合されている。なお、第２の端部２２は、頭部４０の内面４１と隙間なく密着していることが好ましいが、必ずしも、頭部４０に埋設される第２の端部２２の外面２３の全面が、頭部４０の内面４１と隙間なく密着していなくてもよい。例えば、第２の端部２２の外面２３と、頭部４０の内面４１は、いずれかの位置に部分的に密着しない範囲が存在してもよい。
【００２６】
フィラメント部２０、横棒部３０および頭部４０の構成材料は、特に限定されず、例えばポリプロピレン、ポリアミド、生分解性樹脂、エラストマー、ゴム等の樹脂や、木綿、麻等の糸、アモルファス金属等を使用できる。本明細書において、樹脂にはエラストマーやゴムも含まれるものとする。また、樹脂には、樹脂以外の材料からなる繊維や紙等が樹脂に混合されたものも含まれるものとする。
【００２７】
頭部４０は、フィラメント部２０よりも柔軟な材料により形成されることが好ましい。材料の硬さ（柔軟さ）は、例えばロックウェル硬さ、ブリンネル硬さ、ビッカース硬さ、ショア硬さ、デュロメータ硬さ等により特定できる。例えば、フィラメント部２０および横棒部３０の構成材料は、ポリプロピレンまたはポリアミドとし、頭部４０の構成材料は、ウレタンゴム、シリコーンゴム、フッ素ゴム等のゴムや、ナイロンエラストマー、ポリエステルエラストマー等の熱可塑性エラストマーとすることができる。
【００２８】
なお、フィラメント部２０および頭部４０は、材料の物性が異なれば、略同一の硬さを有してもよい。物性とは、材料の機械的性質、熱的性質、化学的性質、電磁気学的性質、光学的性質、物理的性質等である。また、頭部４０は、フィラメント部２０よりも硬い材料により形成されてもよい。また、フィラメント部２０および頭部４０は、異なる材料により形成されてもよいが、異なる物性を有すれば、同種の材料により形成されてもよい。例えば、フィラメント部２０および頭部４０の一方は、低密度ポリエチレン（ＬＰＤＥ）であり、他方は高密度ポリエチレン（ＨＤＰＥ）であってもよい。
【００２９】
係止具１０を製造する際には、まず、フィラメント部２０および横棒部３０を、射出成形等によって一体的に成形する。フィラメント部２０の第２の端部２２には、貫通孔２４が形成される。フィラメント部２０は、成形後に延伸加工を施されてもよい。次に、成形されたフィラメント部２０および横棒部３０を他の金型に設置し、多色成形を行う。すなわち、フィラメント部２０および横棒部３０の材料とは異なる頭部４０の材料を溶融させて、金型とフィラメント部２０の隙間へ充填する。これにより、頭部４０の材料が、フィラメント部２０の第２の端部２２を覆い、かつ貫通孔２４に入り込む。なお、頭部４０の成形は、フィラメント部２０および横棒部３０の成形と同じ金型で行われてもよい。この後、材料が硬化して、頭部４０が成形させる。これにより、係止具１０が完成する。頭部４０の内面４１は、第２の端部２２の外面２３に密着するとともに、貫通孔２４を貫通する柱部４３が形成される。フィラメント部２０の貫通孔２４の貫通する方向は、フィラメント部２０の長軸方向Ｘと略直交し、かつ平坦な頭部４０の表面に沿う方向Ｙである。これにより、頭部４０を成形する金型内で、頭部４０の表面に対応する形状のキャビティに沿って流れる材料が、貫通孔２４に入り込みやすい。このため、貫通孔２４の内部に、柱部４３を密着して良好に形成できる。なお、多色成形において、頭部４０を成形した後に、フィラメント部２０を成形してもよい。
【００３０】
第２の端部２２と頭部４０の結合界面は、ポリマー分子上の機械的な絡み合い、共結晶化、ポリマー鎖間の化学反応等の化学結合により結合される。なお、第２の端部２２と頭部４０の結合界面の結合強度は、多色成形時の第２の端部２２の表面の濡れ性、表面粗さ、頭部４０の材料の粘性、材料の選択等の条件によって調節可能である。したがって、第２の端部２２と頭部４０の結合界面は、化学結合により結合されないように調節することもできる。また、フィラメント部２０の貫通孔２４に、頭部４０の柱部４３が入り込んでいることで、フィラメント部２０の第２の端部２２および頭部４０は、機械的に結合される。異なる材料の結合界面の結合力は、通常、一体的に形成された部材の内部の面の結合力よりも低い。
【００３１】
次に、実施形態に係る係止具１０の作用を説明する。
【００３２】
中空針を備える公知の取付装置を使用して対象物に取り付けられた係止具１０は、フィラメント部２０が衣料品等の対象物を貫通し、横棒部３０が対象物の一方側に配置され、頭部４０が対象物の他方側に配置される。フィラメント部２０の第２の端部２２の外面２３は、頭部４０の内面４１と化学的に結合されている。さらに、頭部４０の柱部４３がフィラメント部２０の貫通孔２４の内部に入り込むことで、フィラメント部２０と頭部４０は、機械的に結合されている。このため、頭部４０は、フィラメント部２０から脱落し難い。したがって、係止具１０は、対象物を係止した状態を良好に維持できる。
【００３３】
係止具１０を対象物から取り外す際には、操作者は、横棒部３０を一方の手の指でつまみ、頭部４０を他方の手の指でつまむ。次に、操作者は、横棒部３０および頭部４０に、離れる方向の力を作用させる。このとき、操作者は、頭部４０に捩じり力を作用させたり、頭部４０に折り曲げる力を作用させたりしてもよい。これにより、図３に示すように、第２の端部２２の外面２３と、頭部４０の内面４１とが、結合界面で分離される。なお、分離される面は、結合界面から多少ずれることもあり得る。そして、頭部４０の柱部４３は、破断されて、貫通孔２４から抜け出る。このとき、貫通孔２４に角部２４Ａが形成されている場合には、角部２４Ａが柱部４３に強く接触して柱部４３に応力が集中し、柱部４３が破断しやすい。これにより、フィラメント部２０の第２の端部２２は、頭部４０の入口部４２から引き抜かれる。なお、フィラメント部２０が、貫通孔２４よりも先端側の部位がちぎれて脱落するように、貫通孔２４で断裂してもよい。この場合、柱部４３は、破断されなくてもよい。この場合であっても、フィラメント部２０は、切り離された先端部を残して、頭部４０から抜けることができる。
【００３４】
フィラメント部２０が頭部４０から分離する引張力は、通常的に作用し得る大きさの力よりも十分に大きく、かつ操作者が必要に応じて発生させることが可能な大きさの力であることが望ましい。したがって、フィラメント部２０が頭部４０から分離する引張力は、上述の条件を満たすように設定される。フィラメント部２０が頭部４０から分離する引張力は、適宜設定されるが、例えば、５〜２００Ｎである。
【００３５】
頭部４０から引き抜かれた第２の端部２２は、頭部４０と異なり細いため、対象物を通り抜けて、対象物から容易に引き抜かれる。このとき、第２の端部２２の外面２３は、頭部４０の内面４１に対する結合界面で剥がれて分離するだけであるため、鋭利な破断面が形成され難い。また、分離される場所が、結合界面から多少ずれたとしても、ずれる方向は、フィラメント部２０よりも柔軟な材料で形成される頭部４０側となる。すなわち、結合界面で分離しないのであれば、分離する面は、硬い材料ではなく柔軟な材料の部位に形成される。このため、フィラメント部２０と頭部４０を分離した際に、フィラメント部２０に頭部４０の材料が付着していても、付着している材料は、柔軟な材料である。このため、フィラメント部２０が対象物を通って引き抜かれる際に、フィラメント部２０は対象物に引っ掛かり難い。このため、引き抜かれるフィラメント部２０によって対象物が損傷することを抑制できる。
【００３６】
以上のように、本実施形態に係る係止具１０は、線状のフィラメント部２０と、フィラメント部２０の第１の端部２１側に当該フィラメント部２０と略直交して当該フィラメント部２０とともにＴ字形状をなす横棒部３０と、フィラメント部２０の第２の端部２２側に配置される頭部４０と、を有する係止具１０であって、フィラメント部２０は、頭部４０と異なる材料により形成され、フィラメント部２０の第２の端部２２は、頭部４０の内部に配置されるとともに、当該頭部４０の内面４１に密着して連結されている。
【００３７】
上記のように構成した係止具１０は、フィラメント部２０を頭部４０から引き抜いて離脱可能であるとともに、引き抜くまでは十分な強度でフィラメント部２０と頭部４０の連結を維持できる。このため、フィラメント部２０を頭部４０から引き抜く前は、対象物を十分な強度で係止でき、必要に応じて強い力を作用させることで、頭部４０をフィラメント部２０から容易に分離させることができる。したがって、本係止具１０は、例えば鋏やナイフ等の切断器具によってフィラメント部２０を切断する必要がないため、対象物から容易に分離できるとともに、対象物が損傷することを抑制できる。また、頭部４０から引き抜かれたフィラメント部２０は、頭部４０と異なる材料により形成されているため、分離する面は滑らかに形成される。このため、分離したフィラメント部２０によって対象物が損傷することを抑制できる。
【００３８】
また、第２の端部２２は、頭部４０に囲まれる範囲に貫通孔２４を有し、頭部４０は、貫通孔２４に入り込む柱部４３を有する。これにより、係止具１０は、第２の端部２２と頭部４０が強固に連結されるため、十分な強度でフィラメント部２０と頭部４０の連結を維持できる。また、必要に応じて強い力を作用させることで、柱部４３を破壊または変形させて貫通孔２４から離脱させて、フィラメント部２０を頭部４０から引き抜くことが可能である。
【００３９】
また、頭部４０の材料は、フィラメント部２０の材料よりも柔軟である。これにより、細いフィラメント部２０の強度の低下を抑制しつつ、フィラメント部２０を頭部４０から引き抜くことが容易な構造を実現できる。
【００４０】
なお、本発明は、上述した実施形態のみに限定されるものではなく、本発明の技術的思想内において当業者により種々変更が可能である。例えば、図４（Ａ）に示す第１の変形例のように、フィラメント部２０の第２の端部２２は、貫通しない凹部２８を有し、頭部４０は、凹部２８に入り込む柱部４３を有してもよい。柱部４３は、凹部２８に嵌合するように突出している。凹部２８および柱部４３の各々は、例えば２つ設けられるが、数は限定されない。したがって、凹部２８および柱部４３の各々は、１つであっても、３つ以上であってもよい。
【００４１】
また、図４（Ｂ）に示す第２の変形例のように、第２の端部２２は、頭部４０に囲まれる範囲に、大幅部２６と、大幅部２６よりもフィラメント部２０の頭部４０に囲まれていない部位に近い側（第１の端部２１側）に位置する小幅部２７と、を有してもよい。フィラメント部２０の長軸方向Ｘと直交する断面における最大幅ｄは、小幅部２７よりも大幅部２６において大きい。貫通孔２４は、大幅部２６に形成される。頭部４０の内面４１は、第２の端部２２の外面２３と密着するように、第２の端部２２に対応する形状を有している。なお、貫通孔２４は、小幅部２７に形成されてもよい。なお、フィラメント部２０は、大幅部２６および小幅部２７を有する場合、貫通孔２４や凹部２８を有さなくてもよい。大幅部２６は、フィラメント部２０の長軸方向Ｘと交差する方向へ突出する凸部でもある。そして、凸部である大幅部２６は、フィラメント部２０に引きぬき方向の力が作用する際に、頭部４０の内面４１に引っ掛かることができる。係止具１０は、大幅部２６が頭部４０の内面４１に引っ掛かっているため、十分な強度でフィラメント部２０と頭部４０の連結を維持できる。また、必要に応じて力を作用させることで、接触している大幅部２６および／または頭部４０を変形させて、フィラメント部２０を頭部４０から引き抜くことが可能である。このため、本係止具１０は、フィラメント部２０を対象物から容易に分離できる。また、フィラメント部２０が、大幅部２６および小幅部２７に加えて、貫通孔２４および／または凹部２８を備えれば、係止具１０は、より高い強度でフィラメント部２０と頭部４０の連結を維持できる。なお、大幅部２６は、頭部４０に囲まれる範囲のフィラメント部２０の長軸方向（引き抜く方向）と直交するいずれかの方向において、小幅部２７よりも幅が大きければ、内面４１に引っ掛かることができるため、長軸方向と直交する方向のうちの他の方向においては、小幅部２７と同じ幅、または小幅部２７よりも小さな幅を有してもよい。
【００４２】
また、図５（Ａ）に示す第３の変形例のように、フィラメント部２０は、第２の変形例と同様に大幅部２６および小幅部２７を有する場合、貫通孔２４や凹部２８を有さなくてもよい。このような形態であっても、係止具１０は、大幅部２６が頭部４０の内面４１に引っ掛かっているため、十分な強度でフィラメント部２０と頭部４０の連結を維持できる。また、必要に応じて力を作用させることで、接触している大幅部２６および／または頭部４０を変形させて、フィラメント部２０を頭部４０から引き抜くことが可能である。
【００４３】
また、図５（Ｂ）に示す第４の変形例のように、フィラメント部２０は、第２の変形例と同様に大幅部２６および小幅部２７を有する場合、大幅部２６に対して入口部４２の反対側に、頭部４０の材料に引っ掛かる凹部２８が形成された連結部２９を有してもよい。凹部２８は、少なくとも１つの溝や非貫通の穴、または少なくとも１つの貫通孔であってもよい。図５（Ｂ）に示す例では、凹部２８は、連結部２９の周囲を囲むように環状に形成される複数の溝である。凹部２８には、頭部４０の材料が、凹部２８に引っ掛かるアンカー部４４として入り込んでいる。アンカー部４４は、凹部２８に対応する形状を有している。このような形態であっても、係止具１０は、頭部４０のアンカー部４４が凹部２８に引っ掛かり、かつ大幅部２６が頭部４０の内面４１に引っ掛かっているため、十分な強度でフィラメント部２０と頭部４０の連結を維持できる。また、必要に応じて力を作用させることで、接触している大幅部２６および／または頭部４０を変形させて、かつアンカー部４４および／凹部２８を変形させて、フィラメント部２０を頭部４０から引き抜くことが可能である。なお、フィラメント部２０を頭部４０から引き抜く際に、連結部２９は、溝等である凹部２８のいずれかの位置で切断されても、切断されなくてもよい。連結部２９よりも入口部４２側に、大幅部２６が設けられているため、切断部位は、衣類等の対象物の接触し難い。このため、係止具１０は、対象物を傷つけずに対象物から円滑に引き抜くことができる。連結部２９は、対象物と接触し難いように、頭部４０に囲まれる範囲のフィラメント部２０の長軸方向（引き抜く方向）と直交する全ての方向において、大幅部２６よりも幅（長さ）が小さいことが好ましいが、これに限定されない。なお、連結部２９が設けられる場合、係止部１０は、大幅部２６および小幅部２７を有さなくてもよい。
【００４４】
また、図６（Ａ）に示す第３の変形例のように、第２の端部２２は、分岐する複数の分岐部２５を有してもよい。分岐部２５の数は、２つ以上であれば特に限定されない。頭部４０の内面４１は、第２の端部２２に対応する形状を有している。分岐部２５は、第２の端部２２と頭部４０の接触面積を増加させて表面の化学的な結合力を向上させるとともに、機械的な結合力を向上させる。これにより、係止具１０は、複数の分岐部２５と頭部４０が強固に連結されるため、十分な強度でフィラメント部２０と頭部４０の連結を維持できる。また、必要に応じて強い力を作用させることで、図６（Ｂ）に示すように、各々の分岐部２５を頭部４０から離脱させて、フィラメント部２０を頭部４０から引き抜くことが可能である。複数の分岐部２５は、第１の端部２１から遠ざかる方向へ向かって、フィラメント部２０の軸心から離れる方向へ徐々に広がるように形成される。このため、操作者は、フィラメント部２０を、頭部４０から滑らかに引き抜くことができる。さらに、複数の分岐部２５は、引き抜かれる際に、広がっている端部を閉じるように変形して、略平行となって集合する。このため、複数の分岐部２５は、対象物を傷つけずに対象物から円滑に引き抜くことができる。なお、各々の分岐部２５は、貫通孔２４（図２を参照）および凹部２８（図４（Ａ）を参照）が形成されていないが、少なくとも１つの分岐部２５が、貫通孔２４および／または凹部２８を有してもよい。フィラメント部２０が、分岐部２５に加えて、貫通孔２４および／または凹部２８を備えれば、係止具１０は、より高い強度でフィラメント部２０と頭部４０の連結を維持できる。なお、貫通孔２４および／または凹部２８は、頭部４０に囲まれる第２の端部２２の、分岐していない部位に形成されてもよい。また、各々の分岐部２５は、大幅部２６および小幅部２７（図４（Ｂ）を参照）が形成されていないが、少なくとも１つの分岐部２５が、大幅部２６および小幅部２７を有してもよい。フィラメント部２０が、分岐部２５に加えて、大幅部２６および小幅部２７を備えれば、係止具１０は、より高い強度でフィラメント部２０と頭部４０の連結を維持できる。また、分岐部２５は、弾性的に変形して広がり、応力が残存した状態で、頭部４０に埋設されてもよい。この場合、分岐部２５は、頭部４０から引き抜かれると、自己の復元力によって、強制的に広げられていた複数の端部が、閉じて集合するように変形する。これにより、複数の分岐部２５は、対象物を傷つけずに対象物から円滑に引き抜くことができる。なお、分岐部２５は、弾性的に変形して広がった状態で、頭部４０に埋設されていなくてもよい。分岐部２５は、入口部４２から離れるほど細くなってもよいが、細くならなくてもよい。
【００４５】
また、例えば、図７（Ａ）に示す第６の変形例のように、第２の端部２２は、頭部４０に囲まれる範囲において湾曲部２２Ａを有してもよい。湾曲部２２Ａは、入口部４２から離れるほど細くなってもよいが、細くならなくてもよい。または、図７（Ｂ）に示す第７の変形例のように、第２の端部２２は、頭部４０に囲まれる範囲において屈曲部２２Ｂを有してもよい。屈曲部２２Ｂは、入口部４２から離れるほど細くなってもよいが、細くならなくてもよい。第６、第７変形例のような形態であっても、係止具１０は、第２の端部２２と頭部４０が湾曲部２２Ａまたは屈曲部２２Ｂで強固に連結されるため、十分な強度でフィラメント部２０と頭部４０の連結を維持できる。また、必要に応じて強い力を作用させることで、第２の端部２２の湾曲部２２Ａまたは屈曲部２２Ｂを頭部４０から離脱させて、フィラメント部２０を頭部４０から引き抜くことが可能である。
【００４６】
また、頭部４０の形状は、特に限定されない。例えば、図８に示す第８の変形例のように、頭部４０は、球形状であってもよい。図８において、フィラメント部２０の貫通孔２４が形成される部位は、頭部４０の略中心に位置しているが、図９に示す第９の変形例のように、略中心に位置しなくてもよい。例えば、フィラメント部２０の貫通孔２４が形成される部位は、頭部４０の略中心よりも入口部４２に近い側に位置する。なお、フィラメント部２０の貫通孔２４が形成される部位は、頭部４０の略中心よりも入口部４２から遠い側に位置してもよい。
【００４７】
また、図１０に示す第１０の変形例のように、第２の端部２２は、頭部４０に囲まれる範囲に大幅部２６を有し、フィラメント部２０の長軸方向Ｘと直交する断面における大幅部２６の最大幅ｄは、係止具１０の対象物への取り付けに使用されるタグガンの中空針１００の、対象物に差し込まれる範囲の最大外径Ｄ以下であることが好ましい。中空針１００は、横棒部３０とフィラメント部２０を略平行となるように変形させて収容した状態で、対象物へ突き刺さる。横棒部３０の全体が対象物を通り抜けた後、中空針１００は、横棒部３０およびフィラメント部２０を残して引き抜かれる。これにより、フィラメント部２０が対象物を貫通し、横棒部２０と頭部４０が対象物を挟んで反対側に配置される。大幅部２６の最大幅ｄが、中空針１００の最大外径Ｄ以下であることにより、頭部４０から引き抜かれた後の大幅部２６は、中空針１００が差し込まれた対象物の孔（フィラメント部２０が貫通している孔）を通って、対象物から確実に引き抜かれることができる。第２の端部２２の貫通孔２４は、大幅部２６の最大幅ｄが設けられる最大部２６Ａよりも、入口部４２側から離れた側に設けられることが好ましい。これにより、フィラメント部２０の第２の端部２２が頭部４０から引き抜かれて対象物を通り抜ける際に、貫通孔２４の縁や貫通孔２４に残った柱部４３が、対象物と接触しにくい。このため、対象物を傷つけずに対象物から第２の端部２２を円滑に引き抜くことができる。また、貫通孔２４の入口部４２側から離れた側の面は、曲率半径の小さい角で突出するように尖った角部２４Ａ、若しくは、応力が集中しやすいようにした形成されてもよい。これにより、角部２４Ａが柱部４３に強く接触して柱部４３に応力が集中し、柱部４３が破断しやすくなる。
【００４８】
また、図１１に示す第１１の変形例のように、係止具１０は、フィラメント部２０から突出する２つの突出部６０を有してもよい。突出部６０は、頭部４０の入口部４２が形成される縁部４５に沿って延在する。２つの突出部６０は、フィラメント部２０から反対方向へ突出している。２つの突出部６０は、横棒部３０と略平行である。すなわち、２つの突出部６０は、フィラメント部２０の長軸方向Ｘと略直交し、かつ平坦な頭部４０の表面に沿う方向Ｙと略平行である。突出部６０は、フィラメント部２０および横棒部３０と同じ材料によって一体的に形成される。突出部６０は、頭部４０に対して、容易に剥がれる程度の弱い接合力で接合されている。したがって、突出部６０と頭部４０の接合面積は、少なくてよい。例えば、突出部６０の突出方向の端部側の部位のみが、頭部４０と接合されてもよい。または、突出部６０と頭部４０は、接触するのみで接合されなくてもよい。変形例１０に係る係止具１０が対象物に取り付けられると、横棒部３０と頭部４０の間に、横棒部３０と突出部６０の間に、対象物や表示札が挟まれる。これにより、突出部６０が、対象物や表示札から作用する力を受け止めることができるため、頭部４０に、長軸方向Ｘに沿ってフィラメント部３０から離れる方向の力が作用しにくい。このため、対象物や表示札等から力を受けて頭部４０からフィラメント部３０が意図せずに抜けることを抑制できる。そして、操作者が、横棒部３０および頭部４０に離れる方向の力を作用させることで、突出部６０が縁部４５から離れるとともに、柱部４３が破断されて、第２の端部２２が頭部４０の入口部４２から引き抜かれる。突出部６０が、縁部４５に対して弱い接合力で接合され、または接合されずに接触するのみであれば、横棒部３０および頭部４０に離れる方向の力を作用させることで、突出部６０は、縁部４５から容易に離れることができる。縁部４５から離れた突出部６０は、フィラメント部３０に略平行となるように変形可能である。これにより、フィラメント部３０および突出部６０を、対象物や表示札等から容易に引き抜くことができる。なお、突出部６０は、上述した各変形例に設けられてもよい。
【００４９】
また、図１１に示すように、複数の係止具１０が、連結棒５１に切り離し可能に連結されて１つの係止具集合体５０として提供されてもよい。連結棒５１は、例えば、各々の係止具１０の横棒部３０に切り離し可能に連結される。
【００５０】
また、上述した実施形態および各変形例において、貫通孔２４および貫通孔２４の内部に配置される柱部４３は、設けられても、設けられなくてもよい。
【符号の説明】
【００５１】
１０    係止具
２０    フィラメント部
２１    第１の端部
２２    第２の端部
２２Ａ    湾曲部
２２Ｂ    屈曲部
２３    外面
２４    貫通孔
２５    分岐部
２６    大幅部
２７    小幅部
２８    凹部
２９    連結部
３０    横棒部
４０    頭部
４１    内面
４２    入口部
４３    柱部（アンカー部）
４４    アンカー部
【図１】
0006896300.tif 000002
【図２】
0006896300.tif 000003
【図３】
0006896300.tif 000004
【図４】
0006896300.tif 000005
【図５】
0006896300.tif 000006
【図６】
0006896300.tif 000007
【図７】
0006896300.tif 000008
【図８】
0006896300.tif 000009
【図９】
0006896300.tif 000010
【図１０】
0006896300.tif 000011
【図１１】
0006896300.tif 000012
【図１２】
0006896300.tif 000013